(57)【特許請求の範囲】
【請求項１】
吸着浄水部と濾過浄水部を有する給水管路から供給した水を有隔膜電解槽で電解し、生成されたアルカリ水と酸性水を各別の排水管路から排出する連続式電解水生成装置において、塩素を含む水道水などの水を一方の排水管路から電解槽の一方の電極室に供給し、他方の電極室を通して他方の排水管路から排出しながら電解するとともに、前記他方の排水管路から排出される電解水を、前記濾過浄水部を含む吸着浄水部下流側の給水管路に通水して排水することを特徴とする連続式電解水生成装置の洗浄方法
【請求項２】
吸着浄水部と濾過浄水部を有する給水管路から供給した水を有隔膜電解槽で電解し、生成されたアルカリ水と酸性水を各別の排水管路から排出する連続式電解水生成装置であって、吸着浄水部の上流側の給水管路を電解槽の一方の排水管路に選択的に接続する流路切り換え弁と；濾過浄水部の下流側の給水管路に設けた逆止弁と；電解槽の他方の排水管路を吸着浄水部と濾過浄水部の間の給水管路に選択的に接続する流路切り換え手段と；前記逆止弁と濾過浄水部の間の給水管路から分岐され、開閉弁によって開閉される洗浄水排水管路と；を備えた連続式電解水生成装置
【請求項３】
吸着浄水部と濾過浄水部を有する給水管路から供給した水を有隔膜電解槽で電解し、生成されたアルカリ水と酸性水を各別の排水管路から排出する連続式電解水生成装置であって、吸着浄水部の上流側の給水管路を電解槽の一方の排水管路に選択的に接続する流路切り換え弁と；電解槽の他方の排水管路と、吸着浄水部と濾過浄水部の間の給水管路とを選択的に接続する流路切り換え手段と；濾過浄水部と電解槽の間の給水管路から分岐された洗浄水排水管路と；給水管路の水を電解槽の給水部と前記洗浄水排水管路に択一的に通水させる流路切り換え手段；とを備えた連続式電解水生成装置
【請求項４】
吸着浄水部の上流側の給水管路と電解槽の一方の排水管路を接続する流路切り換え弁が切り換え通水路に流量絞り機構を有することをさらに特徴とする請求項２又は３記載連続式電解水生成装置
【発明の詳細な説明】
【０００１】
【発明の属する技術分野】
本発明は給水管路から送られる水をアルカリ水と酸性水に電解して排出する連続式電解水生成装置の洗浄方法及びこの方法を実施する機構を備えた連続式電解水生成装置に関する。
【０００２】
【発明の技術背景】
給水管路から吸着浄水部、濾過浄水部などを通して供給される水を有隔膜電解槽で電解し、電解槽の陰極室に生成されるアルカリ水と陽極室に生成される酸性水を一対の排水管路から各別に排水する連続式電解水生成装置は雑菌の繁殖を防止し、析出カルシウムを除去するために必要に応じて電解槽や給水管路等を洗浄する必要がある。
【０００３】
この種の電解水生成装置の洗浄方法として、本出願人は、図４に示すように、洗浄時に給水管路から供給される水道水などの塩素を含む水を電解槽の陽極室の排水管から陽極室及び陽極室の給水支管を逆流させた後、吸着浄水部下流側の給水管路に通水するとともに、陰極室の給水支管から陰極室を通して陰極室排水管から排出し、この水の流れの過程で電解槽を通る水を電解する方法を開発し、特願平９−６２０８０号として特許出願をしている。
【０００４】
【発明が解決しようとする課題】
上記の洗浄方法は電解槽の陽極室で生成された次亜塩素酸含有水を、陽極室→陽極室の給水支管→給水管路→陰極室の給水支管→陰極室→陰極室排水管路の順路で通水し、この通水路を殺菌力の強い次亜塩素酸水で殺菌洗浄をするという優れた作用、効果を奏するものであるが、次のような問題を有している。
【０００５】
すなわち、上記洗浄方法は、給水管路の水が陽極室及び陽極室の給水支管を逆流して給水管路へ流れるのに対し、陰極室の水は陰極室の排水管路からそのまま排水される。また、洗浄時は上記洗滌水通路の流路抵抗により、従って、陽極室が陰極室よりも高い水圧になる。従って、陽極室の水の一部が電解隔膜を通して陰極室に浸透し、所定の洗浄に供されないまま排水されてしまうため、水が無駄に消費されてしまう。
【０００６】
従って、本発明の第１の目的は、給水の全量が洗浄通水路の全ルートに通水され、無駄なく所期の洗浄目的に利用される洗浄方法を提供することにある。
【０００７】
本発明の第２の目的は上記の洗浄方法を実施する機構を備えた連続式の電解水生成装置を提供することにある。
【０００８】
【課題を解決するための手段】
上記第１の目的達成のために、本発明の洗浄方法は、吸着浄水部と濾過浄水部を有する給水管路から供給した水を有隔膜電解槽で電解し、生成されたアルカリ水と酸性水を各別の排水管路から排出する連続式電解水生成装置において、塩素を含む水道水などの水を一方の排水管路から電解槽の一方の電極室に供給し、他方の電極室を通して他方の排水管路から排出しながら電解するとともに、前記他方の排水管路から排出される電解水を、前記濾過浄水部を含む吸着浄水部下流側の給水管路に通水して排水することを特徴とする。
【０００９】
上記第２の目的を達成するために、本発明は吸着浄水部と濾過浄水部を有する給水管路から供給した水を有隔膜電解槽で電解し、生成されたアルカリ水と酸性水を各別の排水管路から排出する連続式電解水生成装置であって、吸着浄水部の上流側の給水管路を電解槽の一方の排水管路に選択的に接続する流路切り換え弁と；濾過浄水部の下流側の給水管路に設けた逆止弁と；電解槽の他方の排水管路を吸着浄水部と濾過浄水部の間の給水管路に選択的に接続する流路切り換え手段と；前記逆止弁と濾過浄水部の間の給水管路から分岐され、開閉弁によって開閉される洗浄水排水管路と；を備えている。
【００１０】
給水管路の水を電解槽と洗浄水排水管路に切換える手段は、上記の給水管路の逆止弁と洗浄水排水管路の開閉弁に代えて、洗浄水排水管路の分岐部に流路切り換え弁を設けてもよい。
【００１１】
また、給水管路の前記流路切換え弁は、好ましくは、排水管路への洗浄切換通水路に絞り機構を設ける。
【００１２】
【発明の実施の形態】
以下、本発明の実施の態様を添付図面に基づいて説明する。
図１は本発明の連続式電解水生成装置の水回路図を示すもので、この種の連続式電解水生成装置１は一般に、電解隔膜２によって内部を陰極室３と陽極室４に仕切った有隔膜電解槽５を有し、この有隔膜電解槽５の給水側に水道水などの給水管路６が接続されているとともに、排水側に前記陰極室３に通じる排水管路７と陽極室４に通じる排水管路８が接続されている。
給水管路６には活性炭などを使用した吸着浄水部９とミクロフイルタなどの濾過浄水部１０が直列の関係に配列されている。
【００１３】
上記の連続式電解水生成装置１は、通常の電解水生成時においては、給水管路６から供給される水を吸着浄水部９及び濾過浄水部１０で浄化した後電解槽５において電解し、陰極室３に生成されるアルカリイオン水を排水管路７から吐水し、陽極室４に生成される酸性水を排水管路８からドレン１１へ排水するようになっている。
【００１４】
図の実施例では給水管路６を電解槽５の手前で二股の給水支管６ａ、６ｂに分岐し、陰極室３と陽極室４に各々独立に給水する例を示しているが、共通の給水管路で供給した水を電解槽５の内部の給水側で陰極室３と陽極室４に分けて給水するものもある。
【００１５】
本発明の洗浄方法は、上記の連続式電解水生成装置１の水回路を洗浄する際に、水道水などの塩素を含む水を一方の排水管路８から電解槽５の陽極室４に供給し、陽極室４の給水支管６ｂを逆流させて陰極室３の給水支管６ａから陰極室３に通水するか、もしくは電解槽５内の給水分岐通路がある場合はこの給水分岐通路から陰極室３に通水して、他方の排水管路７から排出しながら電解するとともに、他方の排水管路７から排出した電解水を、前記吸着浄水部９と濾過浄水部１０の間の給水管路６ｃに送り込み、吸着浄水部９の下流側給水管路を通水してドレン１１へ排水するようにしたことを特徴とするものである。
【００１６】
このため、本発明による図１の連続式電解水生成装置１は、吸着浄水部９の上流側の給水管路６ｄと前記陽極室４の排水管路８の間に、給水管路６の水を排水管路８に切換えて供給する流路切り換え弁１２を設け、流路切り換え弁１２の操作で給水管路６の水が排水管路８から電解槽５の陽極室４に導入されるようになっている。
【００１７】
また、濾過浄水部１０と電解槽５の間の給水管路に電解槽５側にのみ通路を開く逆止弁１３が介装されており、これにより陽極室４の洗浄電解水が陰極室３に流れて排水管路７へ通水されるようになっている。
【００１８】
陰極室３の排水管路７から切り換えバルブ１４を介して分岐した通水路１５が吸着浄水部９と濾過浄水部１０の間の給水管路に接続されているとともに、前記逆止弁１３の上流側給水管から開閉弁１６を介装した洗浄水排水管路１７が分岐されている。
【００１９】
かくして、図２に示すように、流路切り換え弁１２を陽極室４の排水管路８に切り換えるとともに、陰極室３の排水管路７の切り換えバルブ１４を分岐通水路１５に切り換え、さらに洗浄水排水管路１７の開閉弁１６を開くと、給水管路６ｄ→排水管路８→陽極室４→給水支管６ｂ→給水支管６ａ→陰極室３→排水管路７→分岐通水路１５→濾過浄水部１０を含む給水管路６ｃ→洗浄水排水管路１７→ドレン１１に至る洗浄水回路が開成される。
【００２０】
上記洗浄水回路を開成した状態で電解槽５を流れる水を電解することにより電解槽５に次亜塩素酸を含む殺菌水が生成され、この殺菌水によって電解槽５、排水管路７、分岐通水路１５、濾過浄水部１０を含む給水管路６ｃが殺菌洗浄される。
このとき、陽極室４の水が電解隔膜２を通して陰極室３に浸透してもこの水は排水管路から排出されることはないので洗浄給水の全量が次亜塩素酸殺菌水として前記洗浄水回路の洗浄に供される。
【００２１】
図３は本発明の前記洗浄方法を実施する機構を備えた連続式電解水生成装置の他の実施形態を示すもので、このものは、図２の装置の逆止弁１３と洗浄水排水管路１７の開閉弁１６に換えて、給水管路６からの洗浄水排水管路１７の分岐点に、電解槽５の給水部側と洗浄水排水管路１７側に択一的に通路を開く流路切り換え弁１８を設けてあり、洗浄の作用は図２の場合と同様である。
【００２２】
給水管路６ｄを排水管路８側に切り換える流路切り換え弁１２の切り換え通路は好ましくは排水管路７への切り換え通水路に流量絞り機構１９を設ける。こうすることにより、洗浄給水が電解槽５内を通水し、電解槽の電解水に次亜塩素酸を多く発生させることができる。
【００２３】
図の実施例では排水管路７の水を給水管路６ｃに送る流路切り換え手段を、流路切り換えバルブ１４と分岐通水路１５で構成する場合を例示したが、これに限らず、排水管路７を着脱自在に分断するとともに、吸着浄水部９と濾過浄水部１０間の給水管路６ｃに排水管路７の分断口の接続部を設け、洗浄時に、陰極室３に通じる排水管路７の分断口を給水管路６ｃの接続部に連結してもよい。
【００２４】
【効果】
本発明は、洗浄時に、電解槽、給水管路、濾過浄水部を含む長い洗浄水回路が形成され、この洗浄水回路を次亜塩素酸を含む殺菌水で殺菌・洗浄することができるとともに、洗浄給水の全量が洗浄水回路全体の殺菌洗浄に利用されるので水の無駄をなくすことができる。
【００２５】
洗浄水回路を流れる水量を絞ることにより、洗浄水の次亜塩素酸の発生量、濃度を高め、殺菌力を増大させることができる。
【００２６】
洗浄給水の流路が吸着浄水部の上流側で切り換わるとともに、洗浄水が吸着浄水部の下流側給水管路に通水されるので、次亜塩素酸の電解生成に必要な洗浄給水中の塩素と洗浄水中の次亜塩素酸が吸着浄水部によって取除かれてしまうことがない。
【図面の簡単な説明】
【図１】  本発明による連続式電解水生成装置の通常電解水生成時の水回路図
【図２】  図１の装置の洗浄時水回路図
【図３】  本発明による他の実施例の洗浄時水回路図
【図４】  本発明と対比される連続式電解水生成装置の洗浄時水回路図
【符号の説明】
１…電解水生成装置
２…電解隔膜
３…陰極室
４…陽極室
５…有隔膜電解槽
６、６ｃ、６ｄ…給水管路
６ａ、６ｂ…給水支管
７、８…排水管路
９…吸着浄水部
１０…濾過浄水部
１１…ドレン
１２…流路切り換え弁
１３…逆止弁
１４…切り換えバルブ
１５…分岐通水路
１６…開閉弁
１７…洗浄水排水管路
１８…流路切り換え弁
１９…流量絞り機構
【図１】
0003772282.tif 000002
【図２】
0003772282.tif 000003
【図３】
0003772282.tif 000004
【図４】
0003772282.tif 000005